(57)【要約】  現在位置を算出する現在位置計算部４７と、バックグラウンドチューナ部２ｂで放送局のサーチが実施された位置から、現在位置計算部４７が算出した現在位置までの距離を算出する距離計算部４６と、距離計算部４６が算出した距離が所定の閾値以上である場合に、放送局のサーチを直ちに実施する、または、放送局のサーチ頻度を上げる決定を行い、距離計算部４６が算出した距離が所定の閾値未満である場合には、放送局のサーチを行わない、または、放送局のサーチ頻度を下げる決定を行うサーチ頻度決定部４５と、サーチ頻度決定部４５で決定されたサーチ頻度で、バックグラウンドチューナ部２ｂによる放送局のサーチを行うように制御するサーチ制御部４４とを備える。
2013084264.tif 000002
【特許請求の範囲】
【請求項１】
移動体に搭載され、放送局からの放送波を受信する第１のチューナと、前記第１のチューナが受信している放送局以外に受信可能な放送局のサーチを行うとともに、当該サーチの合間にデータ放送を受信する第２のチューナとを備えた放送受信装置において、
現在位置を算出する現在位置計算部と、
前記第２のチューナで放送局のサーチが実施された位置から、前記現在位置計算部が算出した現在位置までの距離を算出する距離計算部と、
前記距離計算部が算出した距離が所定の閾値以上である場合に、放送局のサーチを直ちに実施する、または、放送局のサーチ頻度を上げる決定を行い、前記距離計算部が算出した距離が所定の閾値未満である場合には、放送局のサーチを行わない、または、放送局のサーチ頻度を下げる決定を行うサーチ頻度決定部と、
前記サーチ頻度決定部で決定されたサーチ頻度で、前記第２のチューナによる放送局のサーチを行うように制御するサーチ制御部とを備えることを特徴とする放送受信装置。
【請求項２】
移動体に搭載され、放送局からの放送波を受信する第１のチューナと、前記第１のチューナが受信している放送局以外に受信可能な放送局のサーチを行うとともに、当該サーチの合間にデータ放送を受信する第２のチューナとを備えた放送受信装置において、
前記第２のチューナで実施された放送局のサーチ結果を記憶する第１の記憶部と、
前記第１の記憶部から読み出した時系列に前後する放送局のサーチ結果の内容の変動量が所定の閾値以上である場合に放送局のサーチ頻度を上げる決定を行い、前記時系列に前後する放送局のサーチ結果の内容の変動量が所定の閾値未満である場合、放送局のサーチ頻度を下げる決定を行うサーチ頻度決定部と、
前記サーチ頻度決定部で決定されたサーチ頻度で、前記第２のチューナによる放送局のサーチを行うように制御するサーチ制御部とを備えることを特徴とする放送受信装置。
【請求項３】
前記サーチ頻度決定部は、前記第２のチューナで放送局のサーチを実施する周波数帯ごとにサーチ頻度を決定することを特徴とする請求項１または請求項２記載の放送受信装置。
【請求項４】
前記第１の記憶部は、前記第２のチューナで実施された周波数帯ごとの放送局のサーチ結果を記憶し、
前記サーチ頻度決定部は、前記第１の記憶部から読み出した時系列に前後する放送局のサーチ結果の内容の変動量が所定の閾値以上であるか否かを前記周波数帯ごとに判定し、前記周波数帯ごとの放送局のサーチ結果のうち、前記変動量が所定の閾値以上であるものが存在する場合には、全ての周波数帯での放送局のサーチ頻度を上げる決定を行うことを特徴とする請求項２記載の放送受信装置。
【請求項５】
前記サーチ頻度決定部は、前記第２のチューナでデータ放送の受信を優先して実施する場合、放送局のサーチ頻度を下げる決定を行うことを特徴とする請求項１または請求項２記載の放送受信装置。
【請求項６】
放送局のサーチ頻度および前記サーチ頻度決定部が当該サーチ頻度を決定した位置情報を履歴情報として記憶する第２の記憶部を備え、
前記サーチ頻度決定部は、前記第２の記憶部から読み出した現在位置に対応する履歴情報のサーチ頻度が所定の閾値以上である場合に、当該履歴情報に対応する放送局のサーチ頻度を上げる決定を行うことを特徴とする請求項１または請求項２記載の放送受信装置。
【請求項７】
請求項１または請求項２記載の放送受信装置を備えたナビゲーション装置。
【発明の詳細な説明】
【技術分野】
【０００１】
この発明は、車両などの移動体に搭載され、視聴を行う番組の放送波を受信するためのチューナと、受信可能な放送局をサーチするバックグラウンドチューナを備えた放送受信装置およびこれを備えたナビゲーション装置に関する。
【背景技術】
【０００２】
従来の放送受信装置には、バックグラウンドチューナを用いて、放送局サーチと、交通情報などのデータ放送の受信とを一定時間内に順番に行うものがある。この放送受信装置において、放送局サーチで得られた放送局リストから選局した放送局が現在位置で適切に受信可能であること、いわゆる放送局リストのリアルタイム性を確保することを優先した場合は、一定時間内に行う放送局サーチの時間を長くする必要があり、これに応じて一定時間内に行われるデータ放送受信の時間が短くなる。この場合は、交通情報などのデータ量が減少することから、車両の走行に有用な情報を提供できなくなる。【０００３】
反対に、データ放送の受信を優先した場合は、一定時間内に行うデータ放送受信の時間を長くする必要があり、これに応じて一定時間内に行われる放送局サーチの時間が短くなるため、放送局リストが更新される間隔が長くなる。これにより、放送局リストのリアルタイム性が損なわれやすくなり、放送局リストから放送局を選局しても、すでにその放送局を受信できない場所まで車両が移動している可能性がある。【０００４】
上述の不具合を解消するための従来の技術として、例えば特許文献１に開示される放送受信装置がある。この装置では、放送エリアマップとして放送局ごとに受信可能なエリアを作成してデータベース化しておき、この放送エリアマップを参照して、現在位置で受信可能な放送局リストを作成する。
【先行技術文献】
【特許文献】
【０００５】
【特許文献１】特開２０１１−６１７５３号公報
【発明の概要】
【発明が解決しようとする課題】
【０００６】
特許文献１に代表される従来の放送受信装置では、時々刻々と変化する電波状況が考慮されておらず、過去に作成された放送エリアマップを基に放送局リストを作成するため、電波状況が急激に変化すると、現在位置で受信可能な放送局と、放送局リスト中の放送局とが異なる場合が発生する可能性がある。【０００７】
この発明は、上記のような課題を解決するためになされたもので、現在位置の電波状況に応じて、放送局サーチとデータ放送受信を適切に行うことができる放送受信装置およびこれを備えたナビゲーション装置を得ることを目的とする。
【課題を解決するための手段】
【０００８】
この発明に係る放送受信装置は、移動体に搭載され、放送局からの放送波を受信する第１のチューナと、第１のチューナが受信している放送局以外に受信可能な放送局のサーチを行うとともに、当該サーチの合間にデータ放送を受信する第２のチューナとを備えた放送受信装置において、現在位置を算出する現在位置計算部と、第２のチューナで放送局のサーチが実施された位置から、現在位置計算部が算出した現在位置までの距離を算出する距離計算部と、距離計算部が算出した距離が所定の閾値以上である場合に、放送局のサーチを直ちに実施する、または、放送局のサーチ頻度を上げる決定を行い、距離計算部が算出した距離が所定の閾値未満である場合には、放送局のサーチを行わない、または、放送局のサーチ頻度を下げる決定を行うサーチ頻度決定部と、サーチ頻度決定部で決定されたサーチ頻度で、第２のチューナによる放送局のサーチを行うように制御するサーチ制御部とを備える。
【発明の効果】
【０００９】
この発明によれば、現在位置の電波状況に応じて放送局サーチとデータ放送受信を適切に行うことができるという効果がある。
【図面の簡単な説明】
【００１０】
【図１】この発明の実施の形態１に係る放送受信装置の構成を示すブロック図である。
【図２】実施の形態１に係る放送受信装置およびこれを備えたナビゲーション装置の構成を示すブロック図である。
【図３】従来の放送局サーチとデータ放送受信の時間割当てを示す図である。
【図４】実施の形態１に係る放送局サーチとデータ放送受信の時間割当て（条件１）を示す図である。
【図５】実施の形態１に係る放送局サーチとデータ放送受信の時間割当て（条件２）を示す図である。
【図６】実施の形態１に係る放送局サーチとデータ放送受信の時間割当て（条件４）を示す図である。
【図７】実施の形態１に係る放送受信装置の動作（条件７）を示すフローチャートである。
【発明を実施するための形態】
【００１１】
以下、この発明をより詳細に説明するため、この発明を実施するための形態について、添付の図面に従って説明する。
実施の形態１．
図１は、この発明の実施の形態１に係る放送受信装置の構成を示すブロック図であり、本発明を移動体（例えば車両）に搭載されるラジオ受信機に適用した場合を示している。図１において、実施の形態１に係る放送受信装置１は、メインチューナ２ａ、バックグラウンドチューナ部２ｂ、操作部３、演算制御部４、表示部５、放送局サーチ結果記憶部６、放送局サーチ頻度記憶部７および測位ユニット８を備える。
【００１２】
メインチューナ２ａは、ユーザに選局された放送局の放送を受信するチューナである。バックグラウンドチューナ部２ｂは、現在の位置で受信可能な放送局をサーチする放送局サーチと、交通情報（例えばＲＤＳ−ＴＭＣ；Radio Data System-Traffic Message Channelや、ＶＩＣＳ（登録商標；以下記載を省略する）放送、米国のＨＤ（High Definition）ラジオで放送される交通情報など）のデータ放送受信を行うチューナ部である。
【００１３】
操作部３は、外部からの操作入力を受け付ける操作部であり、キーボードやボタンなどのハードウェアに加え、タッチパネルで入力を行う表示部５の画面上に表示したソフトウェアキーやボタンであってもよい。例えば、ユーザは、表示部５に表示された放送局リストを参照して、聴取したい番組の放送局を選別し、操作部３を用いて放送局を指定する。
演算制御部４は、選局や放送局サーチ、表示処理などの演算処理を実施する制御部である。表示部５は、液晶ディスプレイやプラズマディスプレイ、有機ＥＬディスプレイなどの表示装置である。
【００１４】
放送局サーチ結果記憶部６は、放送局リスト作成部４３に作成された放送局リストを、現在位置に対応付けて記憶する記憶部である。つまり、放送局サーチ結果記憶部６には、放送局サーチが実施されたバンド（受信周波数帯）ごとに、放送局リストと放送局サーチが実施された位置情報を含むデータが時系列に蓄積される。
【００１５】
放送局サーチ頻度記憶部７は、サーチ頻度決定部４５に決定された放送局サーチの頻度を、現在位置に対応付けて記憶する記憶部である。同様に、放送局サーチ頻度記憶部７には、放送局サーチを実施したバンドごとに、サーチ頻度およびこれを決定した位置情報を含むデータが時系列に蓄積される。なお、放送局サーチ頻度記憶部７には、サーチ頻度を規定するサーチ頻度係数Ａ（後述する条件１を参照）を記憶してもよい。
【００１６】
測位ユニット８は、現在位置を測位するユニットであって、例えばＧＰＳ衛星から受信したＧＰＳ信号に含まれる衛星位置および時間情報から位置情報を特定する。この位置情報は、測位ユニット８から現在位置計算部４７に出力される。
【００１７】
また、演算制御部４は、機能ブロックとしてメインチューナ受信周波数設定部４０、バックグラウンドチューナ受信周波数設定部４１、データ受信部４２、放送局リスト作成部４３、サーチ制御部４４、サーチ頻度決定部４５、距離計算部４６、現在位置計算部４７および表示制御部４８を備える。
メインチューナ受信周波数設定部４０は、操作部３を用いてユーザが指定した放送局を示す信号（チャンネル情報など）を入力し、当該信号に基づいて当該放送局の受信周波数をメインチューナ２ａに設定する。
バックグラウンドチューナ受信周波数設定部４１は、データ受信部４２もしくはサーチ制御部４４から要求を受けると、受信可能な放送局をスキャンする各バンドの受信周波数を順次バックグラウンドチューナ部２ｂに設定して、バックグラウンドチューナ部２ｂに放送局サーチを開始させる。
【００１８】
データ受信部４２は、バックグラウンドチューナ部２ｂにより受信された交通情報などの放送データを入力して、放送データに含まれる表示情報を表示制御部４８に出力する。
放送局リスト作成部４３は、バックグラウンドチューナ部２ｂによる各バンドのスキャン結果を入力して、現在位置で受信可能な放送局の放送局リストを作成する。なお、放送局リストには、現在位置で受信可能な放送局がリストアップされており、各放送局の情報として、放送局名、受信周波数、サーチ時点における受信周波数の受信電界レベルなどが登録される。
また、放送局リスト作成部４３は、作成した放送局リストを表示制御部４８に出力し、さらに現在位置計算部４７から入力した現在位置に対応付けて放送局サーチ結果記憶部６に記憶する。
【００１９】
サーチ制御部４４は、サーチ頻度決定部４５により決定された放送局サーチの頻度で、バックグラウンドチューナ受信周波数設定部４１を制御して、バックグラウンドチューナ部２ｂに放送局サーチを実行させる制御部である。
サーチ頻度決定部４５は、距離計算部４６、現在位置計算部４７および放送局サーチ結果記憶部６の記憶内容に基づいて、放送局サーチを行うサーチ頻度を決定する。ここで、サーチ頻度とは、所定の期間で放送局サーチが実施される回数（頻度）を意味する。
例えば、ＦＭ放送の１回の放送局サーチで放送局リストが作成されるまでの時間を４秒、ＡＭ（ＭＷ）放送の１回の放送局サーチで放送局リストが作成されるまでの時間を１４秒、ＳＷ放送の１回の放送局サーチで放送局リストが作成されるまでの時間を１４秒、ＬＷ放送の１回の放送局サーチで放送局リストが作成されるまでの時間を１４秒とし、ＦＭ、ＡＭ、ＳＷ、ＬＷ、データ放送受信（例えば、ＦＭ放送波からの交通情報の受信）の順で放送局サーチを実施する場合、６０秒間（所定の期間）には、各バンドの放送局サーチとデータ放送受信が１回ずつ行われ、データ放送受信の時間割は１４秒間となる。
換言すると、ＦＭ放送の放送局サーチは５６秒間隔で実施され、ＡＭ放送の放送局サーチは４６秒間隔で実施され、ＳＷ放送の放送局サーチは４６秒間隔で実施され、ＬＷ放送の放送局サーチは４６秒間隔で実施され、データ放送受信が４６秒間隔で実施される。
サーチ頻度決定部４５は、現在位置の電波状況を示す様々な条件に応じて放送局サーチの時間間隔を変更することで、現在の電波状況に応じたサーチ頻度を決定する。
【００２０】
距離計算部４６は、前回放送局サーチが実施された位置から現在位置までの距離を算出する計算部である。現在位置計算部４７は、測位ユニット８から取得した位置情報に基づいて自車両の現在位置を算出する。
表示制御部４８は、表示部５における表示処理を制御する制御部である。例えば、表示制御部４８は、放送局リスト作成部４３から放送局リストを入力し、メインチューナ２ａで現在受信している放送局の放送局名に加えて、そのバックグラウンドでスキャンされた現在受信可能な放送局名を表示部５に表示する。
また、表示制御部４８は、放送局サーチされるごとに表示部５に表示する現在受信可能な放送局名を更新する。電波状況が悪いトンネルなどに自車が差し掛かって、受信可能な放送局がなくなった場合には、現在受信している放送局名のみの表示となる。
【００２１】
また、実施の形態１に係る放送受信装置は、測位ユニット８などをナビゲーション装置と兼用してもよい。
図２は、実施の形態１に係る放送受信装置およびこれを備えたナビゲーション装置の構成を示すブロック図である。図２に示すナビゲーション装置９は、移動体（例えば、車両）に搭載される移動体用のナビゲーション装置であり、測位ユニット８と現在位置計算部４７を、放送受信装置１と兼用している。ナビゲーション処理部１０は、現在位置計算部４７が算出した自車位置と地図データベース（地図ＤＢ）１１の地図データに基づいて、経路探索、経路誘導および地図表示といったナビゲーション処理を実行する。
地図ＤＢ１１は、ナビゲーション処理部１０が利用する地図データが登録されたデータベースである。地図データには、地形図データ、住宅地図データ、道路ネットワークなどがある。経路誘導や地図表示おける画像情報は、ナビゲーション処理部１０から表示制御部４８に送られ、表示部５で表示される。
また、バックグラウンドチューナ部２ｂが交通情報を受信した場合に、ナビゲーション処理部１０は、データ受信部４２を介して入力した交通情報に基づいて地図表示を行ってもよい。例えば、渋滞情報が取得された場合、自車周辺の地図表示に渋滞箇所を示すことによって、運転者は、渋滞箇所を避けたルートを選択することができる。
【００２２】
次に動作について説明する。
まず、従来の放送局サーチとデータ放送受信の時間割当てについて、図３を用いて説明する。図３は、ＡＭ放送の放送局サーチ、ＦＭ放送の放送局サーチ、データ放送受信の時間割当てを示している。ここで、ＡＭ放送の放送局サーチは、一定の時間間隔ＴＡＭで実施され、ＦＭ放送の放送局サーチは、一定の時間間隔ＴＦＭで実施され、ＡＭ放送の放送局サーチとＦＭ放送の放送局サーチの空いた時間でデータ放送受信が実施されている。
すなわち、ＡＭ放送の放送局リストは、時間ＴＡＭごとに更新され、ＦＭ放送の放送局リストは、時間ＴＦＭごとに更新される。
【００２３】
ＡＭ放送の放送波は、ＦＭ放送に比べて電波の減衰が少なく遠くまで届く。このため、自車が低速で移動している場合に、時間ＴＡＭ（例えば１分）ごとに放送局リストを更新しても、前回のサーチ内容から変化がない可能性が高い。
一方、ＦＭ放送は、ＡＭ放送に比べると場所により受信状況が変化しやすいため、自車が高速で移動して、現在位置が前回に放送局サーチを行った場所から離れた場合、放送局リストのリアルタイム性が損なわれやすい。従来のように、あらかじめ決まった時間割で放送局サーチとデータ放送受信とを行っていると、すでにその放送局を受信できない場所まで自車が移動している可能性がある。
【００２４】
そこで、本発明に係る放送受信装置１では、自車の現在位置や電波状況に応じて放送局サーチの頻度を変更することで、現在位置の電波状況に即したリアルタイム性の非常に高い放送局リストに更新し、かつサーチ頻度を変更しても交通情報（例えばＲＤＳ−ＴＭＣや、ＶＩＣＳ放送、米国のＨＤラジオで放送される交通情報など）などの放送データの受信データ量がむやみに削減されることを防止している。放送局サーチとデータ放送受信とを適切なタイミングで実施するために、本発明では、以下の条件を提案する。
【００２５】
（Ａ）条件１
前回の放送局サーチを行った位置と現在位置との間が所定の距離以上になった場合に、直ちに放送局サーチを実施する、もしくは、サーチ頻度を現在の頻度よりも上げる処理を行う。この処理によって、適切なタイミングで放送局サーチが行われ、現在の電波状況に即した放送局リストが得られる。
また、前回の放送局サーチを行った位置と現在位置との間が所定の距離未満であれば、放送局サーチを実施しない、もしくは、サーチ頻度を現在の頻度より下げる処理を行う。この処理により、不要な放送局サーチにかかる時間が削減され、交通情報などのデータ放送受信の時間を増やすことができる。従って、ユーザは、渋滞情報などの交通情報を漏れなく取得することができる。
【００２６】
距離計算部４６は、現在位置計算部４７が算出した現在位置情報を入力し、放送局サーチ結果記憶部６から前回に放送局サーチが実施された場所の位置情報を読み出して、当該前回の放送局サーチ位置から現在位置までの距離を算出する。
サーチ頻度決定部４５は、距離計算部４６が算出した距離情報を所定の距離（閾値）と比較して、前回の放送局サーチ位置から現在位置までの距離が所定の距離以上になったか否かを判定する。
【００２７】
前回の放送局サーチ位置から現在位置までの距離が所定の距離以上になった場合には、サーチ頻度決定部４５は、直ちに放送局サーチを実施させる、もしくはサーチ頻度を現在の頻度よりも上げる処理を行う。また、前回の放送局サーチ位置から現在位置までの距離が所定の距離未満であれば、放送局サーチを実施しない、もしくはサーチ頻度を現在の頻度よりも下げる処理を行う。
【００２８】
例えば、ＡＭ放送の放送局サーチおよびＦＭ放送の放送局サーチに関して、サーチ頻度の基準値をあらかじめ決定しておき、この基準値に積算するサーチ頻度係数Ａの値を変更することによりサーチ頻度を変更する。
前回の放送局サーチ位置から現在位置までの距離が所定の距離以上になった場合に、サーチ頻度係数Ａに所定値を加算した後のサーチ頻度係数Ａが所定の閾値Ｘ以上であれば、直ちに放送局サーチを実施する。
また、閾値Ｘ未満であるが、閾値Ｘより小さい閾値Ｙ以上であれば、サーチ頻度決定部４５は、放送局サーチの時間間隔ＴＡＭまたはＴＦＭを短縮する。これにより、サーチ頻度をそれまでの頻度より上げることができる。
前回の放送局サーチ位置から現在位置までの距離が所定の距離未満である場合、サーチ頻度係数Ａから所定値を減算した後のサーチ頻度係数Ａが所定の閾値Ｘ以上であれば、放送局サーチを実施しない。
また、閾値Ｘ未満であるが、閾値Ｙより小さい閾値Ｚ以上であれば、サーチ頻度決定部４５は、放送局サーチの時間間隔ＴＡＭまたはＴＦＭを延長する。これにより、サーチ頻度をそれまでの頻度より下げることができる。
【００２９】
図４は、実施の形態１に係る放送局サーチとデータ放送受信の時間割当て（条件１）を示す図である。図４に示す例は、ＡＭ放送の放送局サーチを一定の時間間隔ＴＡＭで実施し、ＦＭ放送の放送局サーチを一定の時間間隔ＴＦＭで実施し、ＡＭ放送の放送局サーチとＦＭ放送の放送局サーチの空いた時間でデータ放送受信を実施する場合を示している。
自車が静止して前回に放送局サーチを行った場所からの移動がない、あるいは、前回の放送局サーチ位置から現在位置までの距離が所定の距離未満である場合、サーチ頻度決定部４５は、サーチ制御部４４に対して通常のサーチ頻度で放送局サーチを実施するように指示する。サーチ制御部４４は、サーチ頻度決定部４５の指示に従って、放送局サーチのタイマーで時間ＴＡＭ，ＴＦＭが経過してから、ＡＭ放送の放送局サーチ、ＦＭ放送の放送局サーチを実施する。
【００３０】
一方、自車が高速で移動してＦＭ放送の放送局サーチのタイマ時間ＴＦＭが経過する前に、前回の放送局サーチ位置から現在位置までの距離が所定の距離以上になった場合は、サーチ頻度決定部４５は、その時点で放送局サーチを実施するように、サーチ制御部４４に指示する。これにより、サーチ制御部４４は、サーチ頻度決定部４５の指示に従って、図４に示すように、放送局サーチのタイマーで時間ＴＦＭが経過する前にＦＭ放送の放送局サーチを実施する。
【００３１】
（Ｂ）条件２
時系列に前後する放送局サーチ結果（放送局リスト）を比較して、放送局サーチ結果の内容の変化量（放送局リストにリストアップされた放送局数や各放送局の受信周波数における電界レベルの変化量）が所定の閾値以上である場合、自車が電波状況の変動しやすい状態（地域、車両速度）であると判断し、放送局のサーチ頻度を上げる。この処理によって、電波状況が変動しやすい状態下であると放送局リストが頻繁に更新され、現在の電波状況に即した放送局リストが得られる。
また、放送局サーチ結果の内容の変化量が所定の閾値未満であれば、自車が電波状況の安定した状態（障害の少ない地域、停止状態）であると判断して、放送局のサーチ頻度を下げる。この処理により、電波状況が安定した状態下における不要な放送局リストの更新が控えられ、交通情報などのデータ放送受信の時間を増やすことができる。従って、ユーザは、渋滞情報などの交通情報を漏れなく取得することができる。
【００３２】
サーチ制御部４４の制御で放送局サーチが実施されると、放送局リスト作成部４３は、現在位置計算部４７から入力した現在位置に対応付けて放送局サーチ結果記憶部６に記憶する。この後、サーチ頻度決定部４５は、時系列に前後する放送局サーチ結果を、放送局サーチ結果記憶部６から読み出して、前々回分と前回分の放送局サーチ結果を比較して、放送局サーチ結果の内容の変化量が所定の閾値以上であるか否かを判定する。
ここで、放送局サーチ結果の内容の変化量が所定の閾値以上である場合、サーチ頻度決定部４５は、サーチ頻度を現在の頻度より上げる処理を行う。また、放送局サーチ結果の内容の変化量が所定の閾値未満であれば、サーチ頻度を現在の頻度より下げる処理を行う。なお、上記条件１の場合と同様に、サーチ頻度係数Ａの値を変更することで、サーチ頻度を変更してもよい。
【００３３】
図５は、実施の形態１に係る放送局サーチとデータ放送受信の時間割当て（条件２）を示す図である。図５に示す例は、ＡＭ放送の放送局サーチを一定の時間間隔ＴＡＭで実施し、ＦＭ放送の放送局サーチを一定の時間間隔ＴＦＭで実施し、ＡＭ放送の放送局サーチとＦＭ放送の放送局サーチの空いた時間でデータ放送受信を実施する場合を示している。
図５において、時間ＴＡＭが経過する前の（３）に示すタイミングで、サーチ頻度決定部４５が、ＡＭ放送の放送局サーチ頻度を決定するためのシーケンスを開始して、放送局サーチ結果記憶部６から読み出した（１）と（２）のタイミングで実施されたＡＭ放送の放送局サーチの結果を比較する。
放送局サーチ結果の変化量が所定の閾値以上である場合は、サーチ頻度決定部４５は、放送局サーチの時間間隔ＴＡＭを短縮し、新たな時間間隔Ｔ’ＡＭ（Ｔ’ＡＭ＜ＴＡＭ）で放送局サーチを実施するようにサーチ制御部４４に指示する。
これにより、サーチ制御部４４は、（４）以降のＡＭ放送の放送局サーチを、時間間隔Ｔ’ＡＭが経過する度に実施する。
【００３４】
（Ｃ）条件３
各バンドで放送局のサーチ頻度を決定する。ＡＭやＦＭなどの各バンドで放送局サーチに要する時間や電波の伝播損失は異なるため、各バンドで放送局のサーチ頻度を決定することにより、各バンドの電波状況に応じた放送局サーチを行うことができる。
例えば、周波数の低いＡＭ放送では、放送波の電波がＦＭ放送と比較して遠くまで届くため、同じ期間内で実施すべき放送局サーチの頻度は、ＦＭ放送の場合よりも少なく設定される。また、周波数が高いＦＭ放送では、場所によって電波状況の変動が大きいため、放送局のサーチ頻度を多く設定する。
この処理によって、各バンドの特性で想定される電波状況に応じた適切なタイミングで放送局リストを更新でき、放送局リストのリアルタイム性を損なうことなく、データ放送受信に時間を割り当てることができる。
【００３５】
サーチ頻度決定部４５は、条件１や条件２に従う処理をバンドごとに行い、各バンドのサーチ頻度を決定する。例えば、図５に示すように、ＡＭ放送とＦＭ放送とでそれぞれの放送局サーチ頻度を決定するシーケンスを実施し、ＡＭ放送とＦＭ放送とでサーチ頻度が決定される。サーチ制御部４４は、サーチ頻度決定部４５に決定されたサーチ頻度で、各バンドの放送局サーチを実施する。また、放送局サーチ結果記憶部６には、バンドごとの放送局リストが記憶され、放送局サーチ頻度記憶部７には、バンドごとの放送局のサーチ頻度が記憶される。
【００３６】
（Ｄ）条件４
トンネルや地下駐車場などの電波状況が悪い場所へ自車が進入した場合、あるいは当該場所から自車が退出した場合は、電波状況が急激に変化するため、既存の放送局リストの内容が実際の電波状況に即していない可能性が高い。
そこで、条件４では、放送局サーチを開始したバンドがあれば、このバンド以外の各バンド（例えばＡＭ放送の放送局サーチを開始していた場合、ＡＭ以外のＦＭ、ＳＷ、ＬＷ）について、または、放送局サーチを開始したバンドがなければ（データ放送受信時）、全てのバンドについて、条件２の処理を実施し、これらのバンドのいずれかで時系列に前後する放送局サーチ結果の内容の変化量が所定の閾値以上であった場合には、自車周辺の電波状況が急激に変化して放送局リストの内容が変動しやすい状態であると判断し、当該閾値以上の変化があったバンドに加え、その他のバンドについても、放送局サーチを直ちに実施するか、あるいは、放送局サーチの頻度を現在よりも上げる処理を行う。
このようにすることで、電波状況が急変した場合であっても、実際の電波状況に即した内容の放送局リストに更新することができる。なお、放送局サーチ結果の内容の変化量に関する所定の閾値は、各バンドの特性に応じて決定され、バンドごとに異なる値の場合がある。
【００３７】
サーチ頻度決定部４５は、サーチ制御部４４によって放送局サーチが開始されたバンドがあれば、このバンド以外のバンドについて、また、放送局サーチが開始されたバンドがなければ、全てのバンドについて、時系列に前後する放送局サーチ結果（放送局数や各周波数の電界レベル）を放送局サーチ結果記憶部６から読み出し、前々回分と前回分の放送局サーチ結果を比較して、放送局サーチ結果の内容の変化量が所定の閾値以上であるか否かをそれぞれ判定する。
このとき、放送局サーチ結果の内容の変化量が所定の閾値以上のバンドが１つでもあれば、サーチ頻度決定部４５は、当該閾値以上の変化があったバンドに加え、その他のバンドについても放送局サーチを直ちに実施するか、あるいは、サーチ頻度を現在の頻度より上げる処理を行う。なお、上記条件１の場合と同様に、サーチ頻度係数Ａの値を変更することで、サーチ頻度を変更してもよい。
【００３８】
図６は、実施の形態１に係る放送局サーチとデータ放送受信の時間割当て（条件４）を示す図である。図６に示す例は、ＡＭ放送の放送局サーチを一定の時間間隔ＴＡＭで実施し、ＦＭ放送の放送局サーチを一定の時間間隔ＴＦＭで実施し、ＡＭ放送の放送局サーチとＦＭ放送の放送局サーチの空いた時間でデータ放送受信を実施する場合を示している。
サーチ制御部４４によって（３）のタイミングでＡＭ放送の放送局サーチが開始された場合、サーチ頻度決定部４５は、ＡＭ放送以外のバンドであるＦＭ放送について、従前の（１）と（２）のタイミングで実施された放送局サーチ結果を放送局サーチ結果記憶部６から読み出し、その内容の変化量を比較する。
ここで、放送局サーチ結果の変化量が所定の閾値以上であると、サーチ頻度決定部４５は、自車周辺の電波状況が急減に変化したと判断して、ＦＭ放送の放送局サーチの時間間隔ＴＦＭを短縮した新たなタイマ時間Ｔ’ＦＭ（Ｔ’ＦＭ＜ＴＦＭ）を決定するとともに、ＡＭ放送の放送局サーチの時間間隔を短縮した新たな時間間隔Ｔ’ＡＭ（Ｔ’ＡＭ＜ＴＡＭ）を決定して、決定した時間間隔に同期してＡＭ、ＦＭの放送局サーチを実施するようにサーチ制御部４４に指示する。
これにより、サーチ制御部４４は、図６に示すように、上記比較を行った（２）のタイミング以降のＦＭ放送の放送局サーチを、タイマ時間Ｔ’ＦＭが経過する度に実施し、（３）以降のＡＭ放送の放送局サーチを、時間間隔Ｔ’ＡＭが経過する度に実施する。
【００３９】
（Ｅ）条件５
データ放送受信する放送データに優先度を設けて、優先度が高いデータを受信する場合には、放送局サーチのサーチ頻度を下げる。これにより、優先度の高い放送データの受信に多くの時間を割り当てることができ、交通情報などをユーザに適切に提供することができる。例えば、国境付近で交通情報（ＲＤＳ−ＴＭＣ）を２カ国分受信する必要がある場合やユーザが放送されているデータ内容を要求した場合に、これら放送データの優先度を所定の閾値以上として、放送局のサーチ頻度を下げる。
【００４０】
条件５は、ナビゲーション処理部１０による地図表示で交通情報を提示する場合に有効である。例えば、ＦＭ放送に含まれる交通情報（渋滞情報）を受信する場合に、ＦＭ大阪は大阪一帯の交通情報を放送しており、ＦＭ神戸は神戸一帯の交通情報を放送していると仮定する。従って、自車が大阪にあって神戸を目的地とした場合に、渋滞箇所を避けた適切な経路を探索するには、大阪と神戸の２つのＦＭ放送局からそれぞれの交通情報を受信する必要がある。そこで、放送局サーチの頻度を下げ、放送局サーチに当てられていた時間をデータ放送受信に割り当てることにより、経路探索に必要な交通情報を適切に取得できる。
【００４１】
例えば、データ受信部４２は、バックグラウンドチューナ部２ｂにより受信された放送データについて、ユーザが操作部３を用いて当該放送データのさらなる受信を要求された場合に、当該放送データの優先度を所定の閾値以上として、その旨をサーチ頻度決定部４５へ通知する。サーチ頻度決定部４５は、データ受信部４２から放送データの優先度が所定の閾値以上である旨が通知されると、この後に実施する各バンドの放送局サーチの頻度を下げる処理を行う。サーチ制御部４４は、サーチ頻度決定部４５に決定されたサーチ頻度で各バンドの放送局サーチを実施する。これにより、バックグラウンドチューナ部２ｂは、頻度が下がった放送局サーチの合間にユーザに要求された放送データの受信を行う。
【００４２】
（Ｆ）条件６
放送局のサーチ頻度を、これを決定した位置情報に対応付けて履歴情報として記憶しておき、現在の車両位置を含む所定の範囲内の位置情報に対応する履歴情報のうち、過去に決定したサーチ頻度が所定の閾値以上であれば、現在の放送局サーチ頻度を上げる処理を行う。このようにすることで、過去に走行した場所に再び到達した際に放送局サーチ頻度を上げるか否かを即座に判断することができ、現在の電波状況に応じた放送局リストへの更新が可能となる。
なお、現在の車両位置を含む所定の範囲としては、現在位置を中心とした半径が所定の距離の円領域などが考えられ、上記所定の距離は、現在の位置と同等の電波状況であると推測される距離が設定される。また、この距離は、ユーザが操作部３を用いて適宜設定できるようにしてもよい。
【００４３】
サーチ頻度決定部４５は、現在位置計算部４７が算出した現在位置を含む所定の範囲内の位置情報に対応するデータを放送局サーチ頻度記憶部７から検索し、検索結果のサーチ頻度が所定の閾値以上であるか否かを判定する。
例えば、サーチ頻度としてサーチ頻度係数Ａが格納されている場合は、現在位置を含む所定の範囲内の位置情報に対応するサーチ頻度係数Ａの履歴情報を所定の閾値と比較する。このとき、サーチ頻度係数Ａが所定の閾値以上である場合、サーチ頻度決定部４５は、現在のサーチ頻度係数Ａに所定値を加算してサーチ頻度を上げる。
過去に走行した電波状況が変動しやすい場所において、リアルタイム性の高い放送局リストへの更新を迅速に行うことができる。
【００４４】
（Ｇ）条件７
条件１〜６を組み合わせて実施することにより、電波状況に応じた適切なタイミングで放送局リストを更新でき、放送局リストのリアルタイム性を損なうことなく、データ放送受信に時間を割り当てることができる。
図７は、実施の形態１に係る放送受信装置の動作を示すフローチャートであり、条件７に従った処理の流れを示している。
まず、サーチ頻度決定部４５は、放送局サーチを実施する度に放送局サーチのタイマーを参照して、前回の放送局サーチが実施された時点から、放送局サーチを行う所定の時間間隔（タイマー時間）が経過したか否かを判定する（ステップＳＴ１）。
ここで、放送局サーチのタイマーで所定の時間間隔が経過していれば（ステップＳＴ１；ＹＥＳ）、サーチ頻度決定部４５は、当該バンドのサーチ頻度を示すサーチ頻度係数Ａに所定値αを加算してサーチ頻度を上げる（ステップＳＴ２）。
【００４５】
ステップＳＴ２の処理が完了するか、あるいは、タイマーで所定の時間間隔が経過していなければ（ステップＳＴ１；ＮＯ）、サーチ頻度決定部４５は、距離計算部４６が算出した距離情報を所定の距離と比較して、前回の放送局サーチが実施された位置から現在位置までの距離が所定の距離以上であるか否かを判定する（ステップＳＴ３）。
このとき、前回の放送局サーチ位置から現在位置までの距離が所定の距離以上であれば（ステップＳＴ３；ＹＥＳ）、サーチ頻度決定部４５は、当該バンドのサーチ頻度係数Ａに所定値βを加算してサーチ頻度を上げる（ステップＳＴ４）。
【００４６】
ステップＳＴ４の処理が完了するか、あるいは、前回の放送局サーチ位置から現在位置までが所定の距離未満である場合（ステップＳＴ１；ＮＯ）、サーチ頻度決定部４５は、データ受信部４２から放送データの優先度が高いか否か、すなわち放送データを受信する優先度が所定の閾値以上である旨が通知されたか否かを判定する（ステップＳＴ５）。
このとき、放送データを受信する優先度が高い場合（ステップＳＴ５；ＹＥＳ）には、サーチ頻度決定部４５は、各バンドのサーチ頻度係数Ａから所定値γを減算してサーチ頻度を下げる（ステップＳＴ６）。
【００４７】
ステップＳＴ６の処理が完了するか、あるいは、放送データを受信する優先度が所定の閾値未満である場合（ステップＳＴ５；ＮＯ）、サーチ頻度決定部４５は、時系列に前後する放送局サーチ結果を放送局サーチ結果記憶部６からバンドごとに読み出して、前々回分と前回分の放送局サーチ結果を比較し、放送局サーチ結果の内容の変化量が所定の閾値以上であるか否かを判定する（ステップＳＴ７）。ここでは、放送局サーチ結果の内容のうち、放送局リストに挙げられた放送局数の変動量を比較した場合について述べる。
前々回分と前回分の放送局サーチ結果の放送局数が所定の閾値以上の変動している場合（ステップＳＴ７；ＹＥＳ）、サーチ頻度決定部４５は、各バンドのサーチ頻度係数Ａに所定値δを加算してサーチ頻度を上げる（ステップＳＴ８）。
【００４８】
ステップＳＴ８の処理が完了するか、あるいは、前々回分と前回分の放送局サーチ結果の放送局数が所定の閾値未満の変動であった場合（ステップＳＴ７；ＮＯ）、サーチ頻度決定部４５は、現在位置計算部４７が算出した現在位置を含む所定の範囲内の位置情報で放送局サーチ頻度記憶部７を検索して、当該所定の範囲内の位置情報に対応する履歴情報が放送局サーチ頻度記憶部７に存在するか否かを判定する（ステップＳＴ９）。
ここで、現在位置を含む所定の範囲内の位置情報に対応するサーチ頻度履歴が存在した場合（ステップＳＴ９；ＹＥＳ）、サーチ頻度決定部４５は、放送局サーチ頻度記憶部７から当該サーチ頻度履歴のサーチ頻度係数Ａを読み出し、このサーチ頻度係数Ａが所定の閾値以上であるか否かを判定する（ステップＳＴ１０）。
サーチ頻度履歴のサーチ頻度係数Ａが所定の閾値以上である場合（ステップＳＴ１０；ＹＥＳ）、サーチ頻度決定部４５は、当該サーチ頻度履歴に対応するバンドの現在のサーチ頻度係数Ａに所定値εを加算してサーチ頻度を上げる（ステップＳＴ１１）。
【００４９】
ステップＳＴ１１の処理が完了するか、あるいは、サーチ頻度履歴のサーチ頻度係数Ａが所定の閾値未満であった場合（ステップＳＴ１０；ＮＯ）、あるいは、現在位置を含む所定の範囲内の位置情報に対応するサーチ頻度履歴が存在しなかった場合（ステップＳＴ９；ＮＯ）、サーチ頻度決定部４５は、バンドごとのサーチ頻度係数Ａが閾値Ｘ以上であるか否かを判定する（ステップＳＴ１２）。
サーチ頻度係数Ａが閾値Ｘ以上であるバンドについて（ステップＳＴ１２；ＹＥＳ）、サーチ頻度決定部４５は、直ちに放送局サーチを実施するよう、サーチ制御部４４に指示する。これにより、サーチ制御部４４は、サーチ頻度決定部４５から指示されたバンドについて、放送局サーチを直ちに実施する（ステップＳＴ１３）。この後、サーチ頻度決定部４５は、ステップＳＴ１に戻り、上述の処理を繰り返す。
【００５０】
サーチ頻度係数Ａが閾値Ｘ未満である場合（ステップＳＴ１２；ＮＯ）、サーチ頻度決定部４５は、当該サーチ頻度係数Ａが閾値Ｙ（Ｘ＞Ｙ）以上であるか否かを判定する（ステップＳＴ１４）。サーチ頻度係数Ａが閾値Ｙ以上である場合（ステップＳＴ１４；ＹＥＳ）、サーチ頻度決定部４５は、当該バンドの放送局サーチを実施する時間間隔（タイマー時間）を短縮してサーチ制御部４４に通知する（ステップＳＴ１５）。これにより、当該バンドの放送局サーチの頻度が上がる。この後、サーチ頻度決定部４５は、ステップＳＴ１に戻り、上述の処理を繰り返す。
【００５１】
サーチ頻度係数Ａが閾値Ｙ未満である場合（ステップＳＴ１４；ＮＯ）、サーチ頻度決定部４５は、当該サーチ頻度係数Ａが閾値Ｚ（Ｙ＞Ｚ）以上であるか否かを判定する（ステップＳＴ１６）。ここで、サーチ頻度係数Ａが閾値Ｚ以上である場合（ステップＳＴ１６；ＹＥＳ）、サーチ頻度決定部４５は、当該バンドの放送局サーチを実施する時間間隔（タイマー時間）を延長してサーチ制御部４４に通知する（ステップＳＴ１７）。これにより、当該バンドの放送局サーチの頻度が下がる。この後、サーチ頻度決定部４５は、ステップＳＴ１に戻り、上述の処理を繰り返す。
【００５２】
以上のように、この実施の形態１によれば、現在位置を算出する現在位置計算部４７と、バックグラウンドチューナ部２ｂで放送局のサーチが実施された位置から、現在位置計算部４７が算出した現在位置までの距離を算出する距離計算部４６と、距離計算部４６が算出した距離が所定の閾値以上である場合に、放送局のサーチを直ちに実施する、または、放送局のサーチ頻度を上げる決定を行い、距離計算部４６が算出した距離が所定の閾値未満である場合には、放送局のサーチを行わない、または、放送局のサーチ頻度を下げる決定を行うサーチ頻度決定部４５と、サーチ頻度決定部４５で決定されたサーチ頻度で、バックグラウンドチューナ部２ｂによる放送局のサーチを行うように制御するサーチ制御部４４とを備える。
このように、前回の放送局サーチ位置から現在位置までの距離が所定の距離以上である場合に、直ちに放送局サーチを実施する、もしくは、サーチ頻度を現在の頻度より上げる処理を行うことによって、適切なタイミングで放送局サーチが行われ、現在の電波状況に即した放送局リストが得られる。
また、前回の放送局サーチ位置から現在位置までの距離が所定の距離未満である場合、放送局サーチを実施しない、もしくは、サーチ頻度を現在の頻度よりも下げる処理を行うことにより、不要な放送局サーチにかかる時間が削減され、交通情報などのデータ放送受信の時間を増やすことができる。従って、ユーザは、渋滞情報などの交通情報を漏れなく取得することができる。
【００５３】
また、この実施の形態１によれば、バックグラウンドチューナ部２ｂで実施された放送局のサーチ結果を記憶する放送局サーチ結果記憶部６と、放送局サーチ結果記憶部６から読み出した時系列に前後する放送局のサーチ結果の内容の変動量が所定の閾値以上である場合に放送局のサーチ頻度を上げる決定を行い、時系列に前後する放送局のサーチ結果の内容の変動量が所定の閾値未満である場合、放送局のサーチ頻度を下げる決定を行うサーチ頻度決定部４５と、サーチ頻度決定部４４で決定されたサーチ頻度で、バックグラウンドチューナ部２ｂによる放送局のサーチを行うように制御するサーチ制御部４４とを備える。このように、放送局サーチ結果の内容の変化量が所定の閾値以上で、自車が電波状況の変動しやすい状態である場合に、放送局のサーチ頻度を上げる処理を行うことによって、電波状況が変動しやすい状態下である場合に放送局リストが頻繁に更新され、電波状況に即した放送局リストが得られる。
また、放送局サーチ結果の内容の変化量が所定の閾値未満で、自車が電波状況の安定した状態である場合には、放送局のサーチ頻度を下げる処理を行うことにより、電波状況が安定した状態下における不要な放送局リストの更新が控えられ、交通情報などのデータ放送受信の時間を増やすことができる。従って、ユーザは、渋滞情報などの交通情報を漏れなく取得することができる。
【００５４】
さらに、この実施の形態１によれば、サーチ頻度決定部４４が、バックグラウンドチューナ部２ｂで放送局のサーチを実施するバンドごとにサーチ頻度を決定するので、各バンドの電波状況に応じた放送局サーチを行うことができる。
【００５５】
さらに、この実施の形態１によれば、放送局サーチ結果記憶部６が、バックグラウンドチューナ部２ｂで実施されたバンドごとの放送局のサーチ結果を記憶し、サーチ頻度決定部４５が、放送局サーチ結果記憶部６から読み出した時系列に前後する放送局のサーチ結果の内容の変動量が所定の閾値以上であるか否かをバンドごとに判定し、バンドごとの放送局のサーチ結果のうち、変動量が所定の閾値以上であるものが存在する場合には、全てのバンドでの放送局のサーチ頻度を上げる決定を行う。このようにすることで、電波状況が急変した場合であっても、実際の電波状況に即した内容の放送局リストに更新することができる。
【００５６】
さらに、この実施の形態１によれば、サーチ頻度決定部４５が、バックグラウンドチューナ部２ｂでデータ放送の受信を優先して実施する場合に、放送局のサーチ頻度を下げる決定を行うので、優先度の高い放送データの受信に多くの時間を割り当てることができ、交通情報などをユーザに適切に提供することができる。
【００５７】
さらに、この実施の形態１によれば、放送局のサーチ頻度およびサーチ頻度決定部４５が当該サーチ頻度を決定した位置情報を履歴情報として記憶する放送局サーチ頻度記憶部７を備え、サーチ頻度決定部４５が、放送局サーチ頻度記憶部７から読み出した現在位置に対応する履歴情報のサーチ頻度が所定の閾値以上である場合に、当該履歴情報に対応する放送局のサーチ頻度を上げる決定を行う。このようにすることにより、過去に走行した場所に再び到達した際に放送局サーチ頻度を上げるか否かを即座に判断することができ、現在の電波状況に応じた放送局リストへの更新が可能となる。
【００５８】
さらに、この実施の形態１によれば、ナビゲーション装置９が、上述の放送受信装置１を備えるので、電波状況に応じて不要な放送局サーチが削減され、その分交通情報などの放送データの受信データ量を確保できるため、交通情報を利用したナビゲーション処理を的確に行うことができる。
【００５９】
また、上記実施の形態１では、本発明に係るナビゲーション装置を、車載用のナビゲーション装置に適用した場合を示したが、これに限定されるものではない。例えば、車載用のみならず、携帯電話端末または携帯情報端末（ＰＤＡ；Personal Digital Assistance）に適用してもよい。また、車両、鉄道、船舶または航空機などの移動体に、人が携帯して持ち込んで使用されるＰＮＤ（Portable Navigation Device）などに適用してもよい。
【００６０】
なお、本発明はその発明の範囲内において、実施の形態の任意の構成要素の変形、もしくは実施の形態の任意の構成要素の省略が可能である。
【産業上の利用可能性】
【００６１】
この発明に係る放送受信装置は、現在位置の電波状況に応じて放送局サーチとデータ放送受信を適切に行うことができるので、車両の走行に伴い電波状況が時々刻々と変化する車載用のラジオ受信機に好適である。
【符号の説明】
【００６２】
１  放送受信装置、２ａ  メインチューナ、２ｂ  バックグラウンドチューナ部、３  操作部、４  演算制御部、５  表示部、６  放送局サーチ結果記憶部、７  放送局サーチ頻度記憶部、８  測位ユニット、９  ナビゲーション装置、１０  ナビゲーション処理部、１１  地図データベース（地図ＤＢ）、４０  メインチューナ受信周波数設定部、４１  バックグラウンドチューナ受信周波数設定部、４２  データ受信部、４３  放送局リスト作成部、４４  サーチ制御部、４５  サーチ頻度決定部、４６  距離計算部、４７  現在位置計算部、４８  表示制御部。
【図１】
2013084264.tif 000003
【図２】
2013084264.tif 000004
【図３】
2013084264.tif 000005
【図４】
2013084264.tif 000006
【図５】
2013084264.tif 000007
【図６】
2013084264.tif 000008
【図７】
2013084264.tif 000009
【手続補正書】
【提出日】平成26年6月24日(2014.6.24)
【手続補正１】
【補正対象書類名】明細書
【補正対象項目名】０００８
【補正方法】変更
【補正の内容】
【０００８】
この発明に係る放送受信装置は、移動体に搭載され、放送局からの放送波を受信する第１のチューナと、第１のチューナが受信している放送局以外に受信可能な放送局のサーチを行うとともに、当該サーチの合間にデータ放送を受信する第２のチューナとを備えた放送受信装置において、現在位置を算出する現在位置計算部と、第２のチューナで放送局のサーチが実施された位置から、現在位置計算部が算出した現在位置までの距離を算出する距離計算部と、距離計算部が算出した距離が所定の閾値以上である場合に、放送局のサーチを直ちに実施する、または、放送局のサーチ頻度を上げる決定を行い、距離計算部が算出した距離が所定の閾値未満である場合には、放送局のサーチを行わない、または、放送局のサーチ頻度を下げる決定を行うサーチ頻度決定部と、サーチ頻度決定部で決定されたサーチ頻度で、第２のチューナによる放送局のサーチを行うように制御するサーチ制御部と、放送局のサーチ頻度およびサーチ頻度決定部が当該サーチ頻度を決定した位置情報を履歴情報として記憶する第２の記憶部とを備え、サーチ頻度決定部は、第２の記憶部から読み出した現在位置に対応する履歴情報のサーチ頻度が所定の閾値以上である場合に、当該履歴情報に対応する放送局のサーチ頻度を上げる決定を行うものである。
【手続補正２】
【補正対象書類名】特許請求の範囲
【補正対象項目名】全文
【補正方法】変更
【補正の内容】
【特許請求の範囲】
【請求項１】
移動体に搭載され、放送局からの放送波を受信する第１のチューナと、前記第１のチューナが受信している放送局以外に受信可能な放送局のサーチを行うとともに、当該サーチの合間にデータ放送を受信する第２のチューナとを備えた放送受信装置において、
現在位置を算出する現在位置計算部と、
前記第２のチューナで放送局のサーチが実施された位置から、前記現在位置計算部が算出した現在位置までの距離を算出する距離計算部と、
前記距離計算部が算出した距離が所定の閾値以上である場合に、放送局のサーチを直ちに実施する、または、放送局のサーチ頻度を上げる決定を行い、前記距離計算部が算出した距離が所定の閾値未満である場合には、放送局のサーチを行わない、または、放送局のサーチ頻度を下げる決定を行うサーチ頻度決定部と、
前記サーチ頻度決定部で決定されたサーチ頻度で、前記第２のチューナによる放送局のサーチを行うように制御するサーチ制御部と、
放送局のサーチ頻度および前記サーチ頻度決定部が当該サーチ頻度を決定した位置情報を履歴情報として記憶する第２の記憶部とを備え、
前記サーチ頻度決定部は、前記第２の記憶部から読み出した現在位置に対応する履歴情報のサーチ頻度が所定の閾値以上である場合に、当該履歴情報に対応する放送局のサーチ頻度を上げる決定を行うことを特徴とする放送受信装置。
【請求項２】
移動体に搭載され、放送局からの放送波を受信する第１のチューナと、前記第１のチューナが受信している放送局以外に受信可能な放送局のサーチを行うとともに、当該サーチの合間にデータ放送を受信する第２のチューナとを備えた放送受信装置において、
前記第２のチューナで実施された放送局のサーチ結果を記憶する第１の記憶部と、
前記第１の記憶部から読み出した時系列に前後する放送局のサーチ結果の内容の変動量が所定の閾値以上である場合に放送局のサーチ頻度を上げる決定を行い、前記時系列に前後する放送局のサーチ結果の内容の変動量が所定の閾値未満である場合、放送局のサーチ頻度を下げる決定を行うサーチ頻度決定部と、
前記サーチ頻度決定部で決定されたサーチ頻度で、前記第２のチューナによる放送局のサーチを行うように制御するサーチ制御部と、
放送局のサーチ頻度および前記サーチ頻度決定部が当該サーチ頻度を決定した位置情報を履歴情報として記憶する第２の記憶部とを備え、
前記サーチ頻度決定部は、前記第２の記憶部から読み出した現在位置に対応する履歴情報のサーチ頻度が所定の閾値以上である場合に、当該履歴情報に対応する放送局のサーチ頻度を上げる決定を行うことを特徴とする放送受信装置。
【請求項３】
前記サーチ頻度決定部は、前記第２のチューナで放送局のサーチを実施する周波数帯ごとにサーチ頻度を決定することを特徴とする請求項１または請求項２記載の放送受信装置。
【請求項４】
前記第１の記憶部は、前記第２のチューナで実施された周波数帯ごとの放送局のサーチ結果を記憶し、
前記サーチ頻度決定部は、前記第１の記憶部から読み出した時系列に前後する放送局のサーチ結果の内容の変動量が所定の閾値以上であるか否かを前記周波数帯ごとに判定し、前記周波数帯ごとの放送局のサーチ結果のうち、前記変動量が所定の閾値以上であるものが存在する場合には、全ての周波数帯での放送局のサーチ頻度を上げる決定を行うことを特徴とする請求項２記載の放送受信装置。
【請求項５】
前記サーチ頻度決定部は、前記第２のチューナでデータ放送の受信を優先して実施する場合、放送局のサーチ頻度を下げる決定を行うことを特徴とする請求項１または請求項２記載の放送受信装置。
【請求項６】
請求項１または請求項２記載の放送受信装置を備えたナビゲーション装置。
【国際調査報告】
2013084264.tif 000010
2013084264.tif 000011